(57)【要約】【課題】小型化し、データ処理の効率及び利便性を高め、コストを下げる自動試験機を提供する。【解決手段】自動試験機１０は、１つ以上の被試験装置Ｘを試験する試験ユニット１２を備える。試験ユニット１２は、試験処理装置１３を有する。試験処理装置１３は、被試験装置Ｘへ１つ以上の電気的試験信号を提供し、分析結果情報を生成する。試験処理装置１３は、一体型試験モジュール及び試験結合制御モジュールを有する。一体型試験モジュールは、１つ以上の電気的試験条件を生成する。試験結合制御モジュールは、一体型試験モジュールに接続されるとともに、電気的試験条件に基づき、対応した電気的試験信号を一体型試験モジュールに伝送する。試験ユニット１２は、試験処理装置１３に接続されたプローブモジュール１４を有する。プローブモジュール１４は、電気的試験信号に基づき、被試験装置Ｘに対して試験を行う。【選択図】図２
0003230873.tif 000002
【実用新案登録請求の範囲】
【請求項１】
１つ以上の被試験装置を試験する試験ユニットを備えた、自動試験機であって、
前記試験ユニットは、試験処理装置を有し、
前記試験処理装置は、前記被試験装置へ１つ以上の電気的試験信号を提供し、分析結果情報を生成することを特徴とする、自動試験機。
【請求項２】
前記試験処理装置は、一体型試験モジュール及び試験結合制御モジュールを有し、
前記一体型試験モジュールは、１つ以上の電気的試験条件を生成し、
前記試験結合制御モジュールは、前記一体型試験モジュールに接続されるとともに、前記電気的試験条件に基づき、対応した前記電気的試験信号を前記一体型試験モジュールに伝送することを特徴とする請求項１に記載の自動試験機。
【請求項３】
前記一体型試験モジュールは、記憶モジュール、試験・信号収集モジュール及びコンピューティングモジュールを有し、
前記記憶モジュールは、データを記憶し、
前記試験・信号収集モジュールは、前記記憶モジュールに接続されるとともに、前記被試験装置に前記電気的試験信号を伝送し、
前記コンピューティングモジュールは、前記記憶モジュールを介して前記試験・信号収集モジュールに接続され、前記電気的試験条件を提供することを特徴とする請求項２に記載の自動試験機。
【請求項４】
前記コンピューティングモジュールは、メモリユニット及びコンピューティングユニットを有し、
前記メモリユニットは、複数の命令を記憶し、
前記コンピューティングユニットは、前記命令に基づいて前記電気的試験条件を提供することを特徴とする請求項３に記載の自動試験機。
【請求項５】
前記試験ユニットは、前記試験処理装置に接続されたプローブモジュールを有し、
前記プローブモジュールは、前記電気的試験信号に基づき、前記被試験装置に対して試験を行うことを特徴とする請求項４に記載の自動試験機。
【請求項６】
前記電気的試験信号は、マルチレベル多相電源試験信号、多種接地設計試験信号、ノイズ保護回路試験信号、デジタルスイッチング設計試験信号又は同期結合制御試験信号を含むことを特徴とする請求項５に記載の自動試験機。
【請求項７】
ネットワークを介してホストコンピュータに接続され、前記分析結果情報を前記ホストコンピュータへ伝送するか、前記ホストコンピュータから伝送された命令調整命令に基づき、増加した命令を記憶するか、対応した命令を削除することを特徴とする請求項６に記載の自動試験機。
【考案の詳細な説明】
【技術分野】
【０００１】
本考案は、試験機に関し、特に、自動試験機に関する。
【背景技術】
【０００２】
図１を参照する。図１は、自動試験機（Ａｕｔｏｍａｔｉｃ  Ｔｅｓｔ  Ｓｙｓｔｅｍ：ＡＴＥ）を示す。自動試験機は、例えば、ウェーハ、集積回路など様々な被試験装置（Ｄｅｖｉｃｅ  Ｕｎｄｅｒ  Ｔｅｓｔｉｎｇ：ＤＵＴｓ）を試験するために用いられる。自動試験機は、ベース部材Ａ、試験ユニットＢ、ケーブルＣ及び外部コンピューティング装置Ｄを含む。実際に使用する際、ベース部材Ａ上に被試験装置を設置し、試験ユニットＢ上のピン（ｐｉｎ）を被試験装置に接触させて試験して得られた信号を、ケーブルＣを介して外部コンピューティング装置Ｄへ伝送して処理し、試験結果を分析する。
【０００３】
従来の自動試験機は、試験ユニットＢがデータ処理機能を備えておらず、ケーブルＣを介して外部コンピューティング装置Ｄへ信号を伝送して処理しなければならなかったため、装置が大型となるだけでなく、データ処理に多くの時間がかかり、不便であった。
【考案の概要】
【考案が解決しようとする課題】
【０００４】
そこで、本考案者は、上記課題を解決するための鋭意検討を重ねた結果、かかる知見に基づいて、本考案に想到するに至った。
本考案の課題は、試験ユニット上にデータ処理機能を有するモジュールを直接設置し、受信した信号をリアルタイムで直接処理・分析できるようにし、ケーブルを介して外部コンピューティング装置を外付けし、データを外部コンピューティング装置に伝送して分析する必要性を無くすことにより、データ処理の効率を効果的に高め、装置の体積が小さく、装置にかかるコストを減らすことができる、自動試験機を提供することにある。
【課題を解決するための手段】
【０００５】
上記課題を解決するために、本考案の第１の形態によれば、１つ以上の被試験装置を試験する試験ユニットを備えた、自動試験機であって、前記試験ユニットは、試験処理装置を有し、前記試験処理装置は、前記被試験装置へ１つ以上の電気的試験信号を提供し、分析結果情報を生成することを特徴とする、自動試験機を提供する。
【考案の効果】
【０００６】
本考案の自動試験機は、自動試験機の試験ユニット内に、データ処理する試験処理装置を直接設置し、被試験装置に対して試験を行い、得た信号をリアルタイムで処理する。さらに、ケーブルを介して外部コンピューティング装置を外付けし、データを外部コンピューティング装置に伝送して分析する必要がないため、データ処理の効率を効果的に高め、装置の体積が小さく、装置にかかるコストを減らすことができる。そのため体積を小型化し、データ処理の効率及び利便性を高め、コストを下げることができる。
【図面の簡単な説明】
【０００７】
【図１】従来の自動試験機を示す説明図である。
【図２】本考案の第１実施形態に係る自動試験機を示す構成図である。
【図３】図２の第１実施形態に係る試験ユニットを示す構成図である。
【図４】本考案の第２実施形態に係る自動試験機を示す構成図である。
【図５】本考案の一実施形態に係る自動試験機の情報処理方法を示す流れ図である。
【考案を実施するための形態】
【０００８】
以下、本考案の目的、特徴及び効果をより分かりやすくするために、具体的な実施形態について図に基づいて詳しく説明する。
【０００９】
（第１実施形態）
図２を参照する。図２は、本考案の第１実施形態に係る自動試験機を示す構成図である。図２に示すように、本考案の第１実施形態に係る自動試験機１０は、被試験装置Ｘを設置し、被試験装置Ｘに対して試験を行うために用いる。
【００１０】
自動試験機１０は、ベース部材１１及び試験ユニット１２を含む。試験ユニット１２内には、試験処理装置１３が一体化される。ベース部材１１は、試験ユニット１２を設置するとともに、被試験装置Ｘを設置、搭載、配置する。試験ユニット１２は、被試験装置Ｘを試験し、その試験結果を処理・分析するために用いる。
【００１１】
第１実施形態において、ベース部材１１上には、自動フィーディング装置（図示せず）が含まれてもよい。自動フィーディング装置は、被試験装置Ｘを自動的にローディングした後、試験ユニット１２により被試験装置Ｘを試験して信号分析してから、自動フィーディング装置により試験済みの被試験装置Ｘをアンロードして収納ボックス内に収納する。
【００１２】
試験ユニット１２内には、回路基板（図示せず）が設けられる。回路基板上には、データ処理機能及びデータ記憶機能を備えた試験処理装置１３が設けられるとともに、回路基板上の複数の回路（図示せず）と電気的に接続され、試験処理装置１３を一体化し、試験ユニット１２内に配設する。試験処理装置１３は、試験用の信号を供給するとともに、試験ユニット１２から被試験装置Ｘに伝送し、様々なタイプ又は必要な試験を行う。試験処理装置１３は、試験ユニット１２により得られた、被試験装置Ｘがフィードバックする信号を処理・分析する。試験処理装置１３の具体的な構成については、以下で説明する。
【００１３】
また、被試験装置Ｘに対して効率的かつ正確な試験を行うために、試験ユニット１２は、プローブモジュール１４を含んでもよい。プローブモジュール１４は、試験処理装置１３に接続される。プローブモジュール１４は、被試験装置Ｘに接触されたプローブカード（図示せず）と、被試験装置Ｘを正確に取付け、組立て、結合するアダプタモジュール（図示せず）と、を含む。このアダプタモジュールは、ソケット、ＰＩＢ（Ｐｒｏｂｅ  Ｉｎｔｅｒｆａｃｅ  Ｂｏａｒｄ）、ＰＯＧＯタワー（ＰＯＧＯ  Ｔｏｗｅｒ）を含む。
【００１４】
図３を参照する。図３に示すように、試験ユニット１２中の試験処理装置１３は、試験結合制御モジュール１３１及び一体型試験モジュール１３２を含む。一体型試験モジュール１３２は、試験結合制御モジュール１３１に接続される。
【００１５】
一体型試験モジュール１３２は、複数の命令を記憶し、使用者のニーズ又は設定に基づき、対応した命令を自動的に実行し、１つ以上の電気的試験条件を対応して生成し、被試験装置Ｘから得られた信号に基いて処理・分析し、被試験装置Ｘが合格したか否かを確認する。
【００１６】
試験結合制御モジュール１３１は、一体型試験モジュール１３２が生成した電気的試験条件に基づき、１つ以上の電気的試験信号を自動的に生成し、一体型試験モジュール１３２へ提供する。
【００１７】
一体型試験モジュール１３２は、被試験装置Ｘへ電気的試験信号を伝送して試験し、被試験装置Ｘがフィードバックする１つ以上の電気的帰還データを受信して記憶する。一体型試験モジュール１３２は、電気的帰還データに対してデータ処理分析を行い、分析結果情報を生成して記憶し、使用者の参考に供する。分析結果情報に基づき、被試験装置Ｘが合格したか否かを確認し、被試験装置Ｘの品質に問題が無いか効率的に確認する。
【００１８】
また、試験処理装置１３により分析結果情報に基づいて被試験装置Ｘが合格していることが確認されると、ベース部材１１上の自動フィーディング装置により、被試験装置Ｘが、合格した被試験装置Ｘの収納ボックス中にアンロードされる。反対に、被試験装置Ｘが不合格であると確認されたときに、ベース部材１１上の自動フィーディング装置により、被試験装置Ｘが、不合格の被試験装置Ｘの収納ボックス中にアンロードされる。自動試験の被試験装置Ｘ及び分析結果により自動的に分類し、使用の利便性及び分類効率を高める。
【００１９】
電気的試験信号は、マルチレベル多相電源試験信号、多種接地設計試験信号、ノイズ保護回路試験信号、デジタルスイッチング設計試験信号、同期結合制御試験信号及び各種被試験ＩＣの帰還信号を含む。
【００２０】
本実施形態の一体型試験モジュール１３２は、コンピューティングモジュール１３２１、試験・信号収集モジュール１３２２及び記憶モジュール１３２３を含む。コンピューティングモジュール１３２１は、記憶モジュール１３２３を介して試験・信号収集モジュール１３２２に接続される。
【００２１】
コンピューティングモジュール１３２１は、コンピューティングユニット１３２１１及びメモリユニット１３２１２を含む。メモリユニット１３２１２は、上述した複数の命令と、コンピューティングユニット１３２１１の処理データに必要なデータと、を記憶する。コンピューティングユニット１３２１１は、使用者が行った自動試験機１０上の関連設定に基づき、メモリユニット１３２１２から対応した命令を読取って実行し、対応した電気的試験条件を生成し、試験結合制御モジュール１３１へ伝送し、対応した電気的試験信号を交換して得てもよい。コンピューティングモジュール１３２１は、ＣＰＵ、ＧＰＵ、ＦＰＧＡ、特殊用途ＩＣ、特殊用途ＩＰなどでもよい。
【００２２】
試験・信号収集モジュール１３２２は、プローブモジュール１４へ電気的試験信号を伝送し、被試験装置Ｘを試験する。試験・信号収集モジュール１３２２は、プローブモジュール１４により被試験装置Ｘがフィードバックする電気的帰還データを収集し、記憶モジュール１３２３へ伝送して記憶する。データを記憶モジュール１３２３に直接記憶し、データのコピー、伝達にかかる時間を短縮し、データ処理効率を高める。
【００２３】
コンピューティングモジュール１３２１のコンピューティングユニット１３２１１は、記憶モジュール１３２３から電気的帰還データを直接得て、データ処理分析を行い、分析結果情報を生成し、記憶モジュール１３２３に記憶する。
【００２４】
データ処理分析は、大規模数値アルゴリズム（ｈｕｇｅ  ｍａｔｈｅｍａｔｉｃａｌ  ａｌｇｏｒｉｔｈｍ）、試験標準アルゴリズム（ｔｅｓｔ  ｓｔａｎｄａｒｄ  ａｌｇｏｒｉｔｈｍ）又は人工ニューラル分析アルゴリズム（ａｒｔｉｆｉｃｉａｌ  ｎｅｕｒａｌ  ａｎａｌｙｓｉｓ  ａｌｇｏｒｉｔｈｍ）などでもよい。
【００２５】
上述した内容に基づき、データ処理機能及びデータ記憶機能を有する試験処理装置１３を試験ユニット１２内に直接一体化させて設置し、試験に用いる信号を生成して被試験装置Ｘへ付与するとともに、被試験装置Ｘがフィードバックする電気的帰還データに基づき、リアルタイムで記憶し、処理・分析し、分析結果情報を速やかに得る。そのため、ケーブルを介して外部コンピューティング装置を外付けし、データを外部コンピューティング装置に伝送して分析する必要がないため、データ処理の効率が効果的に高まり、装置の体積が小さく、装置にかかるコストを減らすことができる。そのためデータ処理の効率及び利便性が高まるとともに、コストを減らすこともできる。
【００２６】
（第２実施形態）
本考案の第２実施形態は、上述した第１実施形態と略同じであるが、自動試験機１０がある場所に使用者がいなくても、必要なデータを得て、その他関連した分析を容易に行えるため、データ処理の柔軟性及び拡充性を高め、試験処理装置１３に記憶された命令を使用者は遠隔で増やしたり、削除したり、調整したりすることができる。
【００２７】
図４を参照する。図４に示すように、自動試験機１０は、ネットワークを介してホストコンピュータ２０に接続される。ホストコンピュータ２０は、デスクトップ型パソコン、ノート型パソコン、タブレットコンピュータ、演算及び記憶機能が内蔵された装置などでもよい。
【００２８】
自動試験機１０の試験処理装置１３が、ホストコンピュータ２０から伝送されたデータデマンド命令を受信すると、分析結果情報又は電気的帰還データをホストコンピュータ２０へ伝送する。
【００２９】
また、自動試験機１０の試験処理装置１３は、ホストコンピュータ２０から伝送された命令調整命令に基づき、増加した命令を記憶するか、対応した命令を削除する。試験処理装置１３は、新たな命令を記憶するとき、新たな命令として記憶するか、対応した古い命令を入れ替えて記憶する。
【００３０】
上述した内容に基づき、図５に示すように、自動試験機の情報処理方法は、１つ以上の被試験装置Ｘを試験し、自動試験機１０の試験ユニット１２内の試験処理装置１３が以下のステップ（Ｓ３１）〜（Ｓ３３）を行う。
【００３１】
ステップ（Ｓ３１）：１つ以上の電気的試験信号を被試験装置Ｘに提供する。
ステップ（Ｓ３２）：被試験装置Ｘがフィードバックした１つ以上の電気的帰還データを受信する。
ステップ（Ｓ３３）：電気的帰還データをデータ処理分析し、分析結果情報を生成する。
【００３２】
本実施形態の試験処理装置１３は、１つ以上の電気的試験条件に基づき、対応した電気的試験信号を生成する。
【００３３】
本実施形態が提供する電気的試験信号は、マルチレベル多相電源試験信号、多種接地設計試験信号、ノイズ保護回路試験信号、デジタルスイッチング設計試験信号及び同期結合制御試験信号を含む。
【００３４】
本実施形態の試験処理装置１３は、電気的帰還データを得て記憶する。試験処理装置１３は、分析結果情報を生成して記憶する。
【００３５】
本実施形態の自動試験機１０は、ネットワークを介して分析結果情報及び電気的帰還データをホストコンピュータ２０へ伝送して参考にする。
【符号の説明】
【００３６】
１０  自動試験機
１１  ベース部材
１２  試験ユニット
１３  試験処理装置
１４  プローブモジュール
２０  ホストコンピュータ
１３１  試験結合制御モジュール
１３２  一体型試験モジュール
１３２１  コンピューティングモジュール
１３２２  試験・信号収集モジュール
１３２３  記憶モジュール
１３２１１  コンピューティングユニット
１３２１２  メモリユニット
Ｘ  被試験装置
【図１】
0003230873.tif 000003
【図２】
0003230873.tif 000004
【図３】
0003230873.tif 000005
【図４】
0003230873.tif 000006
【図５】
0003230873.tif 000007